【手続補正書】
【提出日】平成27年4月27日(2015.4.27)
【手続補正１】
【補正対象書類名】明細書
【補正対象項目名】００１０
【補正方法】変更
【補正の内容】
【００１０】
上記の目的を達成するため、本発明による被写体領域検出装置は、少なくとも１つの被写体像を有する画像において前記被写体像のうちの特定の領域を被写体領域検出結果として検出する被写体領域検出装置であって、前記画像において前記被写体像から前記特定の領域である第１の被写体領域を検出する第１の検出手段と、前記画像において前記被写体像から前記第１の被写体領域の少なくとも一部を含む領域を第２の被写体領域として検出する第２の検出手段と、前記第２の被写体領域において前記第１の被写体領域に相当する領域を推定して推定領域を得る領域推定手段と、前記第１の被写体領域と前記推定領域とを比較して相関判定結果を得る判定手段と、前記相関判定結果に応じて前記被写体領域検出結果を出力する選択手段とを有することを特徴とする。
【手続補正２】
【補正対象書類名】明細書
【補正対象項目名】００１３
【補正方法】変更
【補正の内容】
【００１３】
本発明による制御方法は、少なくとも１つの被写体像を有する画像において前記被写体像のうちの特定の領域を被写体領域検出結果として検出する被写体領域検出装置の制御方法であって、前記画像において前記被写体像から前記特定の領域である第１の被写体領域を検出する第１の検出ステップと、前記画像において前記被写体像から前記第１の被写体領域の少なくとも一部を含む領域を第２の被写体領域として検出する第２の検出ステップと、前記第２の被写体領域において前記第１の被写体領域に相当する領域を推定して推定領域を得る領域推定ステップと、前記第１の被写体領域と前記推定領域とを比較して相関判定結果を得る判定ステップと、前記相関判定結果に応じて前記被写体領域検出結果を出力する選択ステップとを有することを特徴とする。
【手続補正３】
【補正対象書類名】明細書
【補正対象項目名】００１４
【補正方法】変更
【補正の内容】
【００１４】
本発明による制御プログラムは、少なくとも１つの被写体像を有する画像において前記被写体像のうちの特定の領域を被写体領域検出結果として検出する被写体領域検出装置で用いられる制御プログラムであって、前記被写体領域検出装置が備えるコンピュータに、前記画像において前記被写体像から前記特定の領域である第１の被写体領域を検出する第１の検出ステップと、前記画像において前記被写体像から前記第１の被写体領域の少なくとも一部を含む領域を第２の被写体領域として検出する第２の検出ステップと、前記第２の被写体領域において前記第１の被写体領域に相当する領域を推定して推定領域を得る領域推定ステップと、前記第１の被写体領域と前記推定領域とを比較して相関判定結果を得る判定ステップと、前記相関判定結果に応じて前記被写体領域検出結果を出力する選択ステップとを実行させることを特徴とする。
【手続補正４】
【補正対象書類名】特許請求の範囲
【補正対象項目名】全文
【補正方法】変更
【補正の内容】
【特許請求の範囲】
【請求項１】
少なくとも１つの被写体像を有する画像において前記被写体像のうちの特定の領域を被写体領域検出結果として検出する被写体領域検出装置であって、
前記画像において前記被写体像から前記特定の領域である第１の被写体領域を検出する第１の検出手段と、
前記画像において前記被写体像から前記第１の被写体領域の少なくとも一部を含む領域を第２の被写体領域として検出する第２の検出手段と、
前記第２の被写体領域において前記第１の被写体領域に相当する領域を推定して推定領域を得る領域推定手段と、
前記第１の被写体領域と前記推定領域とを比較して相関判定結果を得る判定手段と、
前記相関判定結果に応じて前記被写体領域検出結果を出力する選択手段とを有することを特徴とする被写体領域検出装置。
【請求項２】
前記相関判定結果が前記第１の被写体領域および前記推定領域が同一の被写体像に関する領域であることを示している場合、前記選択手段は前記第１の被写体領域を前記被写体領域検出結果として出力することを特徴とする請求項１に記載の被写体領域検出装置。
【請求項３】
前記選択手段は、前記第１の被写体領域および前記第２の被写体領域のいずれか一方のみが取得された場合には、前記相関判定結果に拘わらず、前記一方を前記被写体領域検出結果として出力することを特徴とする請求項１又は２に記載の被写体領域検出装置。
【請求項４】
前記第１の検出手段および前記第２の検出手段はそれぞれ前記第１の被写体領域および前記第２の被写体領域を検出する際、その検出の確からしさを示す信頼度を求め、
前記選択手段は、前記第１の被写体領域および前記第２の被写体領域の双方が取得された場合に、前記相関判定結果が前記第１の被写体領域および前記推定領域が同一の被写体像に関する領域であることを示していると、前記信頼度に基づいて前記第１の被写体領域および前記推定領域のいずれか一方を前記被写体領域検出結果として出力することを特徴とする請求項１に記載の被写体領域検出装置。
【請求項５】
前記判定手段は、前記第１の被写体領域および前記推定領域の形状と前記第１の被写体領域および前記推定領域の前記画像における位置とに基づいて前記相関判定結果を求めることを特徴とする請求項１〜４のいずれか１項に記載の被写体領域検出装置。
【請求項６】
前記判定手段は、前記第１の被写体領域および前記推定領域について前記画像における被写体領域の位置およびその大きさに基づいて前記第１の被写体領域および前記推定領域との間の類似度を求めて、該類似度と所定の閾値とに応じて前記相関判定結果を得ることを特徴とする請求項１〜４のいずれか１項に記載の被写体領域検出装置。
【請求項７】
前記判定手段は、前記類似度が前記閾値以上であると、前記第１の被写体領域および前記推定領域は同一の被写体像に関する領域であるとする前記相関判定結果を出力することを特徴とする請求項６に記載の被写体領域検出装置。
【請求項８】
前記第１の検出手段は前記被写体像が人物像である場合、顔領域を前記第１の被写体領域として検出し、
前記第２の検出手段は前記人物像における人体領域を前記第２の被写体領域として検出することを特徴とする請求項１〜７のいずれか１項に記載の被写体領域検出装置。
【請求項９】
前記第１の検出手段は、前記顔領域を検出する際、前記顔領域の正面に対する向きを示す顔向き情報を求め、
前記顔向き情報に基づいて前記顔領域を補正する補正手段をさらに有し、
前記判定手段は、前記補正手段で補正された顔領域を用いて前記相関判定結果を求めることを特徴とする請求項８に記載の被写体領域検出装置。
【請求項１０】
前記判定手段は、前記第１の被写体領域および前記推定領域が同一の被写体像に関する領域であるか否かを判定して前記相関判定結果を得る請求項１〜９のいずれか１項に記載の被写体領域検出装置。
【請求項１１】
前記選択手段は、前記第１の被写体領域および前記推定領域のいずれか一方を前記被写体領域検出結果として出力する請求項１〜１０のいずれか１項に記載の被写体領域検出装置。
【請求項１２】
被写体を撮像して被写体像を有する画像を得る撮像手段と、
請求項１〜１１のいずれか１項に記載の被写体領域検出装置と、
前記撮像手段によって撮像を行う際の撮像条件を、前記被写体領域検出装置によって検出された前記被写体領域検出結果に応じて制御する制御手段とを備えることを特徴とする撮像装置。
【請求項１３】
被写体像を有する画像を表示する表示手段と、
請求項１〜１１のいずれか１項に記載の被写体領域検出装置と、
前記表示手段に前記画像を表示する際の表示条件を、前記被写体領域検出装置によって検出された前記被写体領域検出結果に応じて制御する制御手段とを備えることを特徴とする表示装置。
【請求項１４】
少なくとも１つの被写体像を有する画像において前記被写体像のうちの特定の領域を被写体領域検出結果として検出する被写体領域検出装置の制御方法であって、
前記画像において前記被写体像から前記特定の領域である第１の被写体領域を検出する第１の検出ステップと、
前記画像において前記被写体像から前記第１の被写体領域の少なくとも一部を含む領域を第２の被写体領域として検出する第２の検出ステップと、
前記第２の被写体領域において前記第１の被写体領域に相当する領域を推定して推定領域を得る領域推定ステップと、
前記第１の被写体領域と前記推定領域とを比較して相関判定結果を得る判定ステップと、
前記相関判定結果に応じて前記被写体領域検出結果を出力する選択ステップとを有することを特徴とする制御方法。
【請求項１５】
前記判定ステップでは、前記第１の被写体領域および前記推定領域が同一の被写体像に関する領域であるか否かを判定して前記相関判定結果を得ることを特徴とする請求項１４に記載の制御方法。
【請求項１６】
前記選択ステップでは、前記第１の被写体領域および前記推定領域のいずれか一方を前記被写体領域検出結果として出力することを特徴とする請求項１４又は１５に記載の制御方法。
【請求項１７】
少なくとも１つの被写体像を有する画像において前記被写体像のうちの特定の領域を被写体領域検出結果として検出する被写体領域検出装置で用いられる制御プログラムであって、
前記被写体領域検出装置が備えるコンピュータに、
前記画像において前記被写体像から前記特定の領域である第１の被写体領域を検出する第１の検出ステップと、
前記画像において前記被写体像から前記第１の被写体領域の少なくとも一部を含む領域を第２の被写体領域として検出する第２の検出ステップと、
前記第２の被写体領域において前記第１の被写体領域に相当する領域を推定して推定領域を得る領域推定ステップと、
前記第１の被写体領域と前記推定領域とを比較して相関判定結果を得る判定ステップと、
前記相関判定結果に応じて前記被写体領域検出結果を出力する選択ステップとを実行させることを特徴とする制御プログラム。
【請求項１８】
前記判定ステップでは、前記第１の被写体領域および前記推定領域が同一の被写体像に関する領域であるか否かを判定して前記相関判定結果を得ることを特徴とする請求項１７に記載の制御プログラム。
【請求項１９】
前記選択ステップでは、前記第１の被写体領域および前記推定領域のいずれか一方を前記被写体領域検出結果として出力することを特徴とする請求項１７又は１８に記載の制御プログラム。